(57)【要約】      （修正有）【課題】位置合わせを容易にできる五徳を提供する。【解決手段】右コンロ３では、平面視、おむすび型に形成された煮こぼれカバー８の切欠部８８がバーナ９のイグナイター部９０に嵌合するように位置合わせをして、煮こぼれカバー８をトッププレート上に載置する。そして、煮こぼれカバー８の側壁部８１，８２，８３に五徳１０の基部の平板部１１１，１２１，１３１が各々当接するようにして五徳１０をトッププレート２上に載置する。これにより、五徳１０が回動することを防止できると共に、五徳１０を容易に位置決め固定できる。【選択図】図１４
2010249429.tif 000002
【特許請求の範囲】
【請求項１】
ガスこんろのトッププレート上に載置された五徳であって、
中心から外周までの距離が不均一に形成された煮こぼれカバーの外周部に当接する複数の当接部を備えた基部と、調理容器が載置される支持部を有し、
中心から外周までの距離が不均一に形成された前記煮こぼれカバーの外周部に前記当接部が当接するように、前記五徳を平面視した場合の中心から前記複数の当接部までの距離が決定されていることを特徴とする五徳。
【請求項２】
前記当接部は、面から構成され、前記五徳を平面視した場合の中心から前記複数の面の内の少なくとも一つの面の各部分に対する距離が、不均一に構成されていることを特徴とする請求項１に記載の五徳。
【請求項３】
前記煮こぼれカバーの外周のうち、前記五徳の当接部に当接する被当接部は、前記煮こぼれカバーの中心に対して回転対称となる位置に各々設けられ、
前記複数の当接部は、前記五徳の中心に対して回転対称となる位置に各々設けられていることを特徴とする請求項１又は２に記載の五徳。
【請求項４】
前記面は、少なくとも平面を備えていることを特徴とする請求項２に記載の五徳。
【請求項５】
請求項１乃至４の何れかに記載の五徳が嵌合する煮こぼれカバー。
【請求項６】
請求項１乃至４の何れかに記載の五徳又は請求項５に記載の煮こぼれカバーを備えたことを特徴とするガスこんろ。
【発明の詳細な説明】
【技術分野】
【０００１】
本発明は、ガスこんろに設置される五徳、煮こぼれカバー及び当該五徳及び煮こぼれカバーを備えたガスこんろに関する。
【背景技術】
【０００２】
従来、ガスこんろは、トッププレートに設けられる開口の中央位置に、こんろバーナが配置され、その周囲に汁受皿が載置されている。また、近年では汁受皿のないものも知られている。鍋等の調理容器は、こんろバーナの上方周囲に設けられた五徳に載置され、こんろバーナの燃焼により加熱される。
【０００３】
近年、トッププレートの材質として、強化ガラスをはじめ、美的外観性を高めるものが用いられ、よりフルフラットに近いトッププレートを用いたガスこんろが望まれている。その様なガスこんろの五徳の構成としては、特許文献１及び特許文献２に記載のものが提案されている。これらのものは、五徳に係合部を設け、トッププレート上に五徳の係合部が係合する被係合部を設けている。
【先行技術文献】
【特許文献】
【０００４】
【特許文献１】特開２００６−７１１５８号公報
【特許文献２】特開２００８−２４９１７８号公報
【発明の概要】
【発明が解決しようとする課題】
【０００５】
しかしながら、上述したような従来のガスこんろでは、五徳が正しい位置に固定できるように、五徳の基部に位置合わせの係合部を設ける必要があり、そのような位置あわせの係合部と係合する被係合部をトッププレート上に設けなければならないため、トッププレート上に凹凸が生じ、そのため汚れが当該凹凸に溜るという問題点があった。また、五徳を清掃等で取り外すと、トッププレート上への取り付けが煩雑になるという問題点もあった。
【０００６】
本発明は上記課題を解決するためになされたのであり、位置合わせを容易にでき、清掃性、美観にも優れた、五徳、煮こぼれカバー及びガスこんろを提供することを目的とする。
【課題を解決するための手段】
【０００７】
請求項１記載の五徳は、ガスこんろのトッププレート上に載置された五徳であって、中心から外周までの距離が不均一に形成された煮こぼれカバーの外周部に当接する複数の当接部を備えた基部と、調理容器が載置される支持部を有し、中心から外周までの距離が不均一に形成された前記煮こぼれカバーの外周部に前記当接部が当接するように、前記五徳を平面視した場合の中心から前記複数の当接部までの距離が決定されていることを特徴とする。
【０００８】
請求項２記載の五徳は、請求項１に記載の発明の構成に加えて、前記当接部は、面から構成され、前記五徳を平面視した場合の中心から前記複数の面の内の少なくとも一つの面の各部分に対する距離が、不均一に構成されていることを特徴とする
【０００９】
請求項３記載の五徳は、請求項１又は２に記載の発明の構成に加えて、前記煮こぼれカバーの外周のうち、前記五徳の当接部に当接する被当接部は、前記煮こぼれカバーの中心に対して回転対称となる位置に各々設けられ、前記複数の当接部は、前記五徳の中心に対して回転対称となる位置に各々設けられていることを特徴とする。
【００１０】
請求項４記載の五徳は、請求項２に記載の発明の構成に加えて、前記面は、少なくとも平面を備えていることを特徴とする。
【００１１】
請求項５記載の煮こぼれカバーは、請求項１乃至４の何れかに記載の五徳が嵌合することを特徴とする。
【００１２】
請求項６に記載のガスこんろは、請求項１乃至４の何れかに記載の五徳又は請求項５に記載の煮こぼれカバーを備えたことを特徴とする。
【発明の効果】
【００１３】
請求項１に記載の五徳は、中心から外周までの距離が不均一に形成された煮こぼれカバーの外周部に五徳の基部を嵌合するだけで固定され、五徳の位置合わせが容易にできる。また、清掃性、美観にも優れる。
【００１４】
請求項２に記載の五徳は、前記当接部は、面から構成され、前記五徳を平面視した場合の中心から前記複数の面の内の少なくとも一つの面の各部分に対する距離が、不均一に構成されているので、煮こぼれカバーの外周部に五徳の基部を嵌合した後は、五徳が回動することを防止できる。
【００１５】
請求項３に記載の五徳は、前記煮こぼれカバーの外周のうち、前記五徳の当接部に当接する被当接部は、前記煮こぼれカバーの中心に対して回転対称となる位置に各々設けられ、前記複数の当接部は、前記五徳の中心に対して回転対称となる位置に各々設けられているので、所定の角度回転させるだけで、五徳の五徳の基部を煮こぼれカバーの外周部に固定することができる。
【００１６】
請求項４に記載の五徳は、前記面は、少なくとも平面を備えているので、当該平面が前記煮こぼれカバーの外周に当接して、五徳が回動することを防止できる。
【００１７】
請求項５に記載の煮こぼれカバーにより、請求項１乃至４の何れかに記載の五徳の回転を防止できる。
【００１８】
請求項６に記載のガスこんろは、請求項１乃至４の何れかに記載の五徳又は請求項５に記載の煮こぼれカバーによる上記効果を奏することができる。
【図面の簡単な説明】
【００１９】
【図１】ガスこんろの斜視図である。
【図２】バーナ９の斜視図である。
【図３】煮こぼれカバー８の斜視図である。
【図４】煮こぼれカバー８の平面図である。
【図５】煮こぼれカバー８の底面図である。
【図６】煮こぼれカバー８の側壁部８２側から見た側面図である。
【図７】煮こぼれカバー８の曲部８６側から見た側面図である。
【図８】五徳１０の斜視図である。
【図９】五徳１０の平面図である。
【図１０】五徳１０の底面図である。
【図１１】図８に於ける矢印Ａ方向から見た五徳１０の側面図である。
【図１２】図８に於ける矢印Ｂ方向から見た五徳１０の側面図である。
【図１３】図８に於ける矢印Ｃ方向から見た五徳１０の側面図である。
【図１４】五徳１０を煮こぼれカバー８に嵌合させて、設置した状態の右コンロ３の平面図である。
【図１５】図１４に於ける曲部８６方向から見た状態の右コンロ３の側面図である。
【図１６】図１４に於ける平板部１１１方向から見た状態の右コンロ３の側面図である。
【図１７】図１４に於ける支持部１２７の延設方向から見た状態の右コンロ３の側面図である。
【発明を実施するための形態】
【００２０】
以下、本発明のガスこんろの一実施の形態のガステーブル１の概略構成について説明する。図１に示すように、ガステーブル１の天面にはトッププレート２が設けられ、該トッププレート２の右側には右コンロ３が設けられ、トッププレート２の左側には左コンロ４が設けられ、右コンロ３及び左コンロ４の中間部には、奥コンロ５が設けられている。尚、トッププレート２は、平面に形成されており、鉄板にホーローをコーティングしたものやステンレス等の平板が用いられる。また、近年では、ガラス材質の平板を用いるものもある。
【００２１】
また、右コンロ３、左コンロ４、奥コンロ５は、各々、トッププレート２に穿設された開口部（図示外）の内側に設けられたバーナ９，１１，１２と、当該バーナ９，１１，１２の周囲に各々、設けられた前記開口部を覆う煮こぼれカバー８，８，８と、当該煮こぼれカバー８，８，８に各々嵌合し、当該バーナ９，１１，１２を各々、取り囲む五徳１０，１０，１０とから構成されている。
【００２２】
また、図１に示すように、ガステーブル１の正面中央にはグリル１３が設けられ、該グリル１３のグリル庫（図示外）内には、被調理物を加熱するためのグリルバーナ（図示外）が設けられている。さらに、図１に示すように、トッププレート２の後方には、グリル１３のグリル排気口（図示外）が設けられ、該グリル排気口には、排気口カバー１４，１５が着脱可能に設けられている。これら排気口カバー１４，１５には複数の排気孔が各々設けられている。
【００２３】
次に、図２乃至図７を参照して、バーナ９に設けられている煮こぼれカバー８の形状について説明する。図２に示すように、煮こぼれカバー８は、バーナ９の周囲の開口部（図示外）を覆うようにトッププレート２上に設けられ、五徳１０に載置される鍋からの煮こぼれが、ガステーブル１内に流れ込むのを防止している。尚、バーナ１１及びバーナ１２に設けられている煮こぼれカバー８もバーナ９に設けられているものと同一形状である。図３及び図４に示すように、煮こぼれカバー８は、平面視、各頂点を円弧状にした三角形形状をしており、所謂「おむすび型」であり、中心から外周までの距離が不均一に形成されている。また、煮こぼれカバー８の表面は、中心部に向けて高く成るように起伏が形成されている。さらに、図５に示すように、煮こぼれカバー８は、底面側から見ても、各頂点を円弧状にした三角形形状をしており、所謂「おむすび型」であり、その底面側は、平面状に形成されているトッププレート２に密着するように、平面状に形成されている。
【００２４】
また、図３乃至図７に示すように、煮こぼれカバー８の外側面は、平面から構成される側壁部８１，８２，８３と、側壁部８１及び側壁部８２の間に形成された曲面からなる曲部８４、側壁部８２及び側壁部８３の間に形成された曲面からなる曲部８５、側壁部８３及び側壁部８１の間に形成された曲面からなる曲部８６とから構成されている。尚、曲部８４，８５，８６の部分は、側壁部８１，８２，８３に比べて薄く形成されている。
【００２５】
また、図３乃至図５に、示すように、煮こぼれカバー８の中央には、円形の開口部８７が形成されており、この開口部８７からバーナ９が露出するようになっている。また、開口部８７の曲部８６側には、バーナ９のイグナイター部９０（図１４参照）が嵌合する切欠部８８が形成されている。従って、煮こぼれカバー８は、開口部８７がバーナ９の基部に嵌合して固定される。この時に、バーナ９のイグナイター部が切欠部８８に嵌合するので、バーナ９に対して、煮こぼれカバー８は位置合わせされる。そして、この煮こぼれカバー８には、図２に示すように、五徳１０が嵌合する。尚、この構造は、バーナ１１及びバーナ１２に於いてもバーナ９と同様である。
【００２６】
次に、図８乃至図１３を参照して、バーナ９に設けられている五徳１０の構造の詳細について説明する。この五徳１０は、鉄又はステンレス等の金属の板材から形成されており、分割されておらず一体となっている。尚、バーナ１１及びバーナ１２に設けられている五徳１０もバーナ９に設けられているものと同一形状である。
【００２７】
図８乃至図１３に示すように、五徳１０は、その中心に対して１２０度の回転対称体となっている。具体的には、五徳１０は、トッププレート２の表面（図１参照）に当接する３つの基部１１０，１２０，１３０を備えている。基部１１０は、平面状の板材で構成され、中央部の下部が下方に突出した平板部１１１と、当該平板部１１１の一端部から斜め外側へ屈曲されて延設された延設部１１２と、当該平板部１１１の前記一端部と反対側の端部から斜め外側へ屈曲されて延設された延設部１１３とから構成されている。また、基部１２０は、平面状の板材で構成され、中央部の下部が下方に突出した平板部１２１と、当該平板部１２１の一端部から斜め外側へ屈曲されて延設された延設部１２２と、当該平板部１２１の前記一端部と反対側の端部から斜め外側へ屈曲されて延設された延設部１２３とから構成されている。さらに、基部１３０は、平面状の板材で構成され、中央部の下部が下方に突出した平板部１３１と、当該平板部１３１の一端部から斜め外側へ屈曲されて延設された延設部１３２と、当該平板部１３１の前記一端部と反対側の端部から斜め外側へ屈曲されて延設された延設部１３３とから構成されている。
【００２８】
また、延設部１１２からは上方に向けて延設部１１２と垂直に平面状の板材で垂直壁部１１４が延設され、延設部１１３からは上方に向けて延設部１１３と垂直に平面状の板材で垂直壁部１１５が延設されている。また、垂直壁部１１４の上端部からは、延設部１１２と平行に、鍋等を支持する支持部１１６が平面状の板材で延設され、垂直壁部１１５の上端部からは、延設部１１３と平行に、鍋等を支持する支持部１１７が平面状の板材で延設されている。
【００２９】
また、延設部１２２からは上方に向けて延設部１２２と垂直に平面状の板材で垂直壁部１２４が延設され、延設部１２３からは上方に向けて延設部１２３と垂直に平面状の板材で垂直壁部１２５が延設されている。また、垂直壁部１２４の上端部からは、延設部１２２と平行に、鍋等を支持する支持部１２６が平面状の板材で延設され、垂直壁部１２５の上端部からは、延設部１２３と平行に、鍋等を支持する支持部１２７が平面状の板材で延設されている。
【００３０】
また、延設部１３２からは上方に向けて延設部１３２と垂直に平面状の板材で垂直壁部１３４が延設され、延設部１３３からは上方に向けて延設部１３３と垂直に平面状の板材で垂直壁部１３５が延設されている。また、垂直壁部１３４の上端部からは、延設部１３２と平行に、鍋等を支持する支持部１３６が平面状の板材で延設され、垂直壁部１３５の上端部からは、延設部１３３と平行に、鍋等を支持する支持部１３７が平面状の板材で延設されている。
【００３１】
さらに、支持部１１７と支持部１２６との間には、円弧状に屈曲された屈曲部１１９が形成されている。また、支持部１２７と支持部１３６との間には、円弧状に屈曲された屈曲部１２８が形成されている。また、支持部１３７と支持部１１６との間には、円弧状に屈曲された屈曲部１１８が形成されている。
【００３２】
以上説明したように、五徳１０は、鉄やステンレス等の耐熱など五徳に必要な強度のある金属の板材から形成されており、所定の打ち抜き加工と、溶接加工等により一体形状に形成されている。
【００３３】
次に、図１４乃至図１７を参照して、五徳１０の設置方法について説明する。図１４乃至１７に示すように、右コンロ３では、バーナ９に対して、煮こぼれカバー８に形成された切欠部８８がイグナイター部９０に嵌合するように位置合わせをして、煮こぼれカバー８をトッププレート２上に載置する。そして、煮こぼれカバー８の側壁部８１，８２，８３に五徳１０の基部の平板部１１１，１２１，１３１が各々当接するようにして五徳１０をトッププレート２上に載置する。このようにして、五徳１０を位置決め固定できる。従って、五徳１０が回動することを防止できる。
【００３４】
ここで、煮こぼれカバー８は、中心から外周までの距離が不均一に形成された所謂「おむすび型」形状である。また、五徳１０を平面視した場合の中心から五徳１０の基部の平板部１１１，１２１，１３１までの距離が、煮こぼれカバー８の中心から外周までの距離が不均一に形成された側壁部８１，８２，８３に各々当接する距離になるように形成されているので、一度、五徳１０を煮こぼれカバー８に嵌合すると、五徳１０は、回動することがない。尚、バーナ９に対して、煮こぼれカバー８は、その切欠部８８がイグナイター部９０に嵌合することで位置決め固定され、さらに、煮こぼれカバー８に対して、五徳１０が上記構造により位置決め固定される。
【００３５】
尚、五徳１０は、平面視した場合に、１２０度の回転対称体に形成されているので、煮こぼれカバー８に対して、１２０度、２４０度又は３６０度回しても、嵌合させることができる。例えば、煮こぼれカバー８の側壁部８１に五徳１０の平板部１１１が当接し、煮こぼれカバー８の側壁部８２に五徳１０の平板部１２１が当接し、煮こぼれカバー８の側壁部８３に五徳１０の平板部１３１が当接するように設置することができるだけでなく、煮こぼれカバー８の側壁部８１に五徳１０の平板部１２１が当接し、煮こぼれカバー８の側壁部８２に五徳１０の平板部１３１が当接し、煮こぼれカバー８の側壁部８３に五徳１０の平板部１１１が当接するように設置することができる。また、煮こぼれカバー８の側壁部８１に五徳１０の平板部１３１が当接し、煮こぼれカバー８の側壁部８２に五徳１０の平板部１１１が当接し、煮こぼれカバー８の側壁部８３に五徳１０の平板部１２１が当接するように設置することができる。従って、使用者は、五徳１０を清掃等で取り外した場合に、容易に煮こぼれカバー８に対して、嵌合させることができる。尚、上記実施の形態では、平板部１１１，１２１，１３１が「当接部」及び「平面」に相当する。また、側壁部８１，８２，８３が「被当接部」に相当する。以上説明したように、本実施の形態の五徳１０では、特別な位置合わせの係合部を基部に設け、トッププレート２に当該位置合わせの係合部を係合させる被係合部を設けなくても、五徳１０の位置合わせが容易にでき、また、被係合部を設けることによって生じるトッププレート上の凹凸部がなくなり、清掃がしやすく、また、美観にも優れる。尚、左コンロ４及び奥コンロ５においても同様である。
【００３６】
ここで、バーナ９の炎口の位置について説明する。図１４に示すように、バーナ９には、五徳１０に載置された鍋等を直接あぶるための炎口が、五徳１０の支持部１１６，１１７，１２６，１２７，１３６，１３７を避ける位置Ｇに各々穿設されている。従って、五徳１０の支持部１１６，１１７，１２６，１２７，１３６，１３７が炎で強くあぶられることを防止できる。尚、炎口の位置は、尚、左コンロ４及び奥コンロ５においても同様である。
【００３７】
以上本発明の実施形態について説明したが、本発明は上記実施形態に何等限定されるものではなく、本発明の要旨を逸脱しない範囲において、種々なる態様で実施し得ることは勿論である。例えば、煮こぼれカバー８は、おむすび型に限られず、中心から外周までの距離が不均一に形成された形状であれば、例えば、四角形、六角形、八角形、楕円形等であっても良い。この場合には、五徳１０も煮こぼれカバー８の外周の形状に合わせてその基部の形状を形成する。また、五徳１０の基部１１０，１２０，１３０の当接部は、平面でなくても煮こぼれカバー８の外側面に当接して回転を防止できるものであれば、各種の形状のものを用いることができる。また、上記実施の形態の五徳１０は、板材であるが、耐熱など五徳に必要な強度を満たしていれば、板材に限らず線材等でも良い。
【符号の説明】
【００３８】
１  ガステーブル
２  トッププレート
３  右コンロ
４  左コンロ
５  奥コンロ
８  煮こぼれカバー
９  バーナ
１０  五徳
１１  バーナ
１２  バーナ
８１  側壁部
８２  側壁部
８３  側壁部
１１０，１２０，１３０  基部
１１１，１２１，１３１  平板部
【図１】
2010249429.tif 000003
【図２】
2010249429.tif 000004
【図３】
2010249429.tif 000005
【図４】
2010249429.tif 000006
【図５】
2010249429.tif 000007
【図６】
2010249429.tif 000008
【図７】
2010249429.tif 000009
【図８】
2010249429.tif 000010
【図９】
2010249429.tif 000011
【図１０】
2010249429.tif 000012
【図１１】
2010249429.tif 000013
【図１２】
2010249429.tif 000014
【図１３】
2010249429.tif 000015
【図１４】
2010249429.tif 000016
【図１５】
2010249429.tif 000017
【図１６】
2010249429.tif 000018
【図１７】
2010249429.tif 000019